(57)【要約】【課題】  負荷側および反負荷側の軸受が故障しても回転子と固定子が接触することがなく、また工作機械主軸を破損させることのない電動機を提供する。【解決手段】  内周部に固定子１を有する筒状のフレーム２と、フレーム２の負荷側および反負荷側の両端に嵌合取付けした負荷側ブラケット３および反負荷側ブラケット４と、負荷側ブラケット３および反負荷側ブラケット４に、負荷側軸受５および反負荷側軸受６を介して回転自在に支持された回転軸７と、回転軸７の外周面に嵌合取付けされた回転子８とを有する電動機において、負荷側ブラケット３および反負荷側ブラケット４における負荷側軸受５および反負荷側軸受６のそれぞれの傍らに、負荷側補助軸受１１および反負荷側補助軸受１２を配置する。【選択図】        図１
2005086979.tif 000002
【特許請求の範囲】
【請求項１】
内周部に固定子を有する筒状のフレームと、前記フレームの負荷側および反負荷側の両端に嵌合取付けした負荷側ブラケットおよび反負荷側ブラケットと、前記負荷側ブラケットおよび反負荷側ブラケットに、負荷側軸受および反負荷側軸受を介して回転自在に支持された回転軸と、前記回転軸の外周面に嵌合取付けされた回転子とを有する電動機において、
前記負荷側ブラケットおよび反負荷側ブラケットにおける前記負荷側軸受および反負荷側軸受のそれぞれの傍らに、負荷側補助軸受および反負荷側補助軸受を配置したことを特徴とする電動機。
【請求項２】
前記負荷側補助軸受および反負荷側補助軸受は、前記負荷側軸受および反負荷側軸受よりも小さいことを特徴とする請求項１に記載の電動機。
【請求項３】
前記負荷側軸受および反負荷側軸受が正常な状態において、負荷側補助軸受および反負荷側補助軸受は、回転軸の外周面に対して僅かな隙間を設けていることを特徴とする請求項１または２に記載の電動機。
【発明の詳細な説明】
【技術分野】
【０００１】
本発明は、回転軸を軸受を介して回転自在に支持する例えば主軸駆動用などの電動機に関するもので、特に軸受の支持構造に関するものである。
【背景技術】
【０００２】
従来のたとえば工作機械の主軸駆動用として用いられる電動機は、内周部に固定子１を有する筒状のフレーム２と、前記フレーム２の負荷側および反負荷側の両端に嵌合取付けした負荷側ブラケット３および反負荷側ブラケット４と、前記負荷側ブラケット３および反負荷側ブラケット４に、それぞれ１個の負荷側軸受５および反負荷側軸受６を介して回転自在に支持された回転軸７と、前記回転軸７の外周面に嵌合取付けされた回転子８とを有して構成されている（例えば、特許文献１参照）。
なお、図において、９は反負荷側軸受６に予圧を与える予圧ばねで、１０は回転軸８に連結された工作機械主軸ユニットである。
【特許文献１】特開平１０−２１０７０３号公報
【発明の開示】
【発明が解決しようとする課題】
【０００３】
しかしながら、このような従来の主軸駆動用の電動機においては、つぎのような問題があった。
・  電動機の運転中に負荷側軸受５または反負荷側軸受６が故障して回転軸７を保持できなくなると、回転軸７が重力によって図の下方向に下がり、回転子８が固定子１と接触して擦れまわることになる。そのため、溶着が発生したり、固定子１の電線や絶縁を破損してしまうおそれがある。
・  また、回転軸７が振れ回るため、回転軸７にカップリングなどによって直結にて連結された工作機械主軸ユニット１０にラジアル荷重を与え、工作機械主軸ユニット１０の内部にある軸受などの部品を破損してしまうおそれがある。
本発明は、このような問題を解決するためになされたもので、負荷側および反負荷側の軸受が故障しても回転子と固定子が接触することがなく、また工作機械主軸を破損させることのない電動機を提供することを目的とするものである。
【課題を解決するための手段】
【０００４】
本発明は、このような問題を解決するためになされたもので、内周部に固定子を有する筒状のフレームと、前記フレームの負荷側および反負荷側の両端に嵌合取付けした負荷側ブラケットおよび反負荷側ブラケットと、前記負荷側ブラケットおよび反負荷側ブラケットに、負荷側軸受および反負荷側軸受を介して回転自在に支持された回転軸と、前記回転軸の外周面に嵌合取付けされた回転子とを有する電動機において、前記負荷側ブラケットおよび反負荷側ブラケットにおける前記負荷側軸受および反負荷側軸受のそれぞれの傍らに、負荷側補助軸受および反負荷側補助軸受を配置したものである。
【発明の効果】
【０００５】
本発明によれば、負荷側軸受および反負荷側軸受の近傍に補助軸受を配置して電動機を構成しているので、負荷側軸受および反負荷側軸受が故障しても、負荷側補助軸受および反負荷側補助軸受が回転軸と接触して、回転子と固定子が接触するのを防ぐことができる。またそれにより、この電動機と連結している工作機械主軸ユニット等を破損させることがないという効果がある。
【発明を実施するための最良の形態】
【０００６】
以下、本発明の実施例を図１に基づいて説明する。
【実施例】
【０００７】
図１は、本発明の実施例における電動機を示す側断面図である。
本発明の電動機は、図１に示すように、、内周部に固定子１を有する筒状のフレーム２と、前記フレーム２の負荷側および反負荷側の両端に嵌合取付けした負荷側ブラケット３および反負荷側ブラケット４と、前記負荷側ブラケット３および反負荷側ブラケット４に、それぞれ１個の負荷側軸受５および反負荷側軸受６を介して回転自在に支持された回転軸７と、前記回転軸７の外周面に嵌合取付けされた回転子８とを有して構成されるとともに、前記負荷側ブラケットおよび反負荷側ブラケットにおける前記負荷側軸受５および反負荷側軸受６のそれぞれの傍らに、負荷側補助軸受１１および反負荷側補助軸受１２を配置して構成されている。
前記負荷側補助軸受１１および反負荷側補助軸受１２は、前記負荷側軸受５および反負荷側軸受６よりも小さい構成されるとともに、前記負荷側軸受５および反負荷側軸受６が正常な状態において、負荷側補助軸受１１および反負荷側補助軸受１２は、回転軸７の外周面に対して僅かな隙間を設けて配置されている。
このような構成において、運転中に負荷側軸受５あるいは反負荷側軸受６が故障して回転軸７を保持できなくなっても、負荷側補助軸受１１あるいは反負荷側軸受７の内径と回転軸７の隙間を回転子８と固定子１の隙間を考慮して小さく設定することで、負荷側補助軸受１１あるいは反負荷側軸受６が回転軸７と接触して回転可能となり、回転子８と固定子１は接触することはない。
また、回転軸７の振れ回りを小さくすることができるので、カップリングなどによって直結にて連結された工作機械主軸ユニット１０に与えるラジアル荷重は小さくなる。
なお、負荷側軸受５あるいは反負荷側軸受６が故障すると電動機の回転負荷が大きくなるため、過負荷検出装置などで容易に検出できるので、負荷側補助軸受１１あるいは反負荷側補助軸受１２が接触した状態で長期に運転されることはない。
また、本発明の電動機は、軸垂直向きで使用した場合にも同様の効果がある。
【図面の簡単な説明】
【０００８】
【図１】本発明の実施例における電動機を示す側断面図である。
【図２】従来の電動機を示す側断面図である。
【符号の説明】
【０００９】
１    固定子
２    フレーム
３    負荷側ブラケット
４    反負荷側ブラケット
５    負荷側軸受
６    反負荷側軸受
７    回転軸
８    回転子
９    予圧ばね
１０  工作機械主軸ユニット
１１  負荷側補助軸受
１２  反負荷側補助軸受
【図１】
2005086979.tif 000003
【図２】
2005086979.tif 000004